(57)【特許請求の範囲】
【請求項１】
トラクタとの連結部の高床部に貨物の積載を容易にするため高床部に隣接した低床部の一部に高床部の高さに上昇可能な昇降床を設けた低床式トレーラの昇降床の支持装置において、昇降床上にパレットを備え昇降床が下降した位置ではパレットの上面が低床部の床面高さになるように昇降床を左右のトレーラフレームに支持し、パレットが昇降床上にないときに昇降床の上面を低床部の床面高さと一致させるため、回動させて昇降床とトレーラフレームの間に張り出し可能な複数の支持部材をトレーラフレームに設けるとともに、該支持部材に付設した回動レバー同士をロッドで連結したことを特徴とする低床式トレーラの昇降床の支持装置。
【請求項２】
左右のトレーラフレームそれぞれに前後２個設けられた支持部材に付設された回動レバー同士を前後方向に２本、左右方向に１本のロッドでコ字状に連結したことを特徴とする請求項１記載の低床式トレーラの昇降床の支持装置。
【請求項３】
ロッドが端末となる回動レバーに支持部材が張り出した位置と格納された位置の中間で最大に引張するバネを張設したことを特徴とする請求項２記載の低床式トレーラの昇降床の支持装置。
【発明の詳細な説明】
【０００１】
【発明の属する技術分野】
本発明は、トラクタとの連結部に高床部を有し、高床部に隣接した低床部の一部を高床部の高さに上昇させる昇降床を備えた低床式トレーラに係わり、特に昇降床が下降した位置における支持装置に関するものである。
【０００２】
【従来の技術】
低床式トレーラは、トラクタとの連結部が高い段差のある高床部となっており、一般には高床部へ貨物を積載していないが、高床部に隣接した低床部の一部を高床部の高さに上昇させる昇降床を備えて高床部への貨物の積み降ろしを容易にしたものが知られている（例えば特開平１１−３２１４２９号）。
【０００３】
この種の低床式トレーラは図４に示すように、トラクタ３０との連結部に位置する高床部３に隣接した低床部２に油圧シリンダ８で昇降する昇降床６が設けられ、下降したときには昇降床６はトレーラフレーム１に支持されるようにしている。また、一般には昇降床６と高床部３間の貨物の移送を簡便にするために、フリーローラを配置したり、昇降床６上に車輪付きのパレット２０を備えるなどの手段が採られている。
【０００４】
【発明が解決しようとする課題】
通常、昇降床は下降した位置では、その上面が低床部の床面高さと一致するように左右のトレーラフレームに支持されているが、昇降床にパレットを備えた場合は、パレットが低床部の床面より一段高く突出しているので、パレットへの貨物の積み降ろし作業がしづらいという問題がある。
【０００５】
そこで、パレットを下降させた位置では、昇降床をパレットの上面が低床部の床面と同じ高さになるようにトレーラフレームに支持させることが考えられる。
しかし、この場合は貨物を積載したパレットを高床部へ移送させて、昇降床を下降させたときは、昇降床の上面が低床部の床面より低くなり、低床部と段差ができるので、やはり貨物の積み降ろし作業がしづらい。なお、この場合、昇降床の昇降装置を操作して、パレットの上面が低床部の床面と同じ高さになるようにすることは可能であるが、昇降時以外のときに昇降床を油圧シリンダで支持するのは好ましいとはいえず、また、位置合わせの昇降装置の操作は昇降床の上面と低床部の床面を目視で見比べながら行うので、精度が悪く時間もかかる。
【０００６】
そこで、本発明は、昇降床上にパレットがあるときはパレットの上面が、パレットがないときは昇降床の上面が低床部の床面と同一高さになるように昇降床をトレーラフレームに簡便な操作で支持できるようにした昇降床の支持装置を提供することを目的とするものである。
【０００７】
【課題を解決するための手段】
上記目的を達成するため、本発明では、次の手段を採った。即ち、トラクタとの連結部の高床部に貨物の積載を容易にするため高床部に隣接した低床部の一部に高床部の高さに上昇可能な昇降床を設けた低床式トレーラの昇降床の支持装置において、昇降床上にパレットを備え昇降床が下降した位置ではパレットの上面が低床部の床面高さになるように昇降床を左右のトレーラフレームに支持し、パレットが昇降床上にないときに昇降床の上面を低床部の床面高さと一致させるため、回動させて昇降床とトレーラフレームの間に張り出し可能な複数の支持部材をトレーラフレームに設けるとともに、該支持部材に付設した回動レバー同士をロッドで連結したことを特徴としている。
【０００８】
本発明は、高床部に隣接してパレットを備えた昇降床を設け、貨物をパレットに積載してパレットとともに貨物を高床部へ積み込むようにした低床式トレーラに適用される。昇降床の昇降は油圧シリンダでシザーズリンクや平行リンクを作動させるのが一般的であるが、本発明はこれに限定するものではない。
【０００９】
パレットはその下部に車輪を付設するなどして高床部と昇降床間の移動しやすくしたものがよい。また、昇降床は角パイプや型材を骨部材とした矩形の枠の上面に床板を固設したものが一般的である。
昇降床は下降した位置では、左右のトレーラフレームに直接支持させるが、高床部の高さや昇降床の高さとの関係などからトレーラフレームに直接支持できないときは支持金具を介して支持すればよい。
【００１０】
支持部材は、パレットが高床部にあるときに下降した昇降床を確実に安定して左右のトレーラフレームに支持させるためのもので、昇降床の裏面の前後左右の４カ所に設けるのが望ましい。なお、昇降床の面積が大きい場合は、４個以上設ける。
【００１１】
また、支持部材の高さは、トレーラフレームに昇降床を直接支持させる場合は、パレットの高さと同じである。
支持部材は昇降床にパレットがあるときは格納されており、昇降床にパレットがないときに回動させてトレーラフレーム上に張り出すが、この具体的な手段は例えば、回動可能な軸を備えたブラケットをトレーラフレームに設け、軸に支持部材を固設するとともに軸を回動させる回動レバーを固設すればよい。なお、支持部材の回動方向は縦でも横でもよいが、横の場合は昇降床の骨部材間に格納させるとよい。
【００１２】
複数の支持部材の回動レバーを個々に操作するのは煩雑であるので、回動レバー同士をロッドで連結し、同時に複数の支持部材を回動させる。
ロッドの接続方法は特に限定しないが、低床式トレーラに貨物を積み降ろしするときはプラットホームに横付けしたり、低床部の側面にあおりを備えたものでは左右にある支持部材に付設した回動レバー同士をロッドで接続し、低床式トレーラのいずれの側面からでも操作できるようにするとよい。
【００１３】
この場合は、前後２個の回動レバーをそれぞれ操作することになるが、請求項２に記載のように、左右のトレーラフレームそれぞれに前後２個設けられた支持部材に付設された回動レバー同士を前後方向に２本、左右方向に１本のロッドでコ字状に連結すれば、１つの回動レバーを操作することによってすべての支持部材を回動させることができる。
【００１４】
なお、１つの回動レバーの操作によってすべての支持部材を回動させる場合は、末端になる回動レバーを確実に作動させるにはロッドと回動レバーの連結部に遊びがないようにするのがよいが、遊びをなくするとロッドに走行時の捩れや曲げの影響を及ぼすので好ましくない。
【００１５】
そこで、請求項３に記載のように、ロッドが端末となる回動レバーに支持部材が張り出した位置と格納された位置の中間で最大に引張するバネを張設するのが望ましい。これによってロッドと回動レバーの連結部に遊びを持たせても確実に端末の支持部材を回動させることができる。
【００１６】
また、回動レバーの一つにシリンダを設けて、これを作動させてすべての支持部材を回動させるようにしてもよい。さらには、パレットが昇降床上にあるか、高床部にあるか（または昇降床上にない）を検知する検知手段を設けて、昇降装置の下降操作に連動させて、パレットが昇降床上にある場合は支持部材を格納し、高床部にある場合は張り出すようにしてもよい。
【００１７】
【発明の実施の形態】
以下本発明の低床式トレーラの実施の形態を図面に基づいて説明する。
図４に示すように低床式トレーラ１０は、トレーラフレーム１の後部に複輪の偏平タイヤを備えた３軸の後軸が逆懸架方式で取り付けられており、トラクタ３０に備えたカプラ５によって連結される。低床式トレーラ１０の荷台は、トラクタ３０との連結部上部に位置する高床部３を有し、高床部３に隣接する低床部２に平行リンク形式の昇降装置によって昇降する昇降床６が設けられている。
【００１８】
この昇降装置は、昇降床６の前後にトレーラフレーム１に連結した平行なリンク７ａ、７ｂと、シリンダ８とから構成されている。
昇降床６は図１に示すように、角パイプ状の骨部材１１で矩形の枠とし上面に床板１２を固設したもので、上面はほぼ高床部と同じ面積としている。そして、昇降床６の上には車輪２１が付設されたパレット２０が載置されている。
【００１９】
昇降床６は、昇降装置を作動させて上昇させたときは昇降床６の上面が高床部３と同じ高さになり、昇降床６を下降させたときは昇降床６の骨部材１１が左右のトレーラフレーム１の上面に載置され、パレット２０の上面が低床部２の上面と同じ高さになるようにしている（図１の右図）。
【００２０】
左右のトレーラフレーム１は断面がＩ型状で、昇降床６が載置される位置のトレーラフレーム１のリブ面には昇降床６を支持する支持部材１６が設けられたブラケット１４が固設されている。
このブラケット１４は昇降床６の裏面の前後左右４カ所に相当する位置に設けられ、ブラケット１４には垂直な軸１５が回動可能に設けられている。そして、軸１５の上部側には支持部材１６が固設され、軸１５の下部側には回動レバー１７が固設されている。また、支持部材１６の高さ寸法はパレット２０の高さと同一にしている。
【００２１】
左右の回動レバー１７同士はロッド１８でそれぞれ連結されており、いずれかを回動させることによって他方も回動する。
図２は、支持部材１６が格納されている場合の状態を示しており、図１の右図の状態である。このとき、昇降床６の骨部材１１がトレーラフレーム１上に載置され、支持部材１６は、昇降床６の骨部材１１間に格納される。
【００２２】
このように、構成されているので、昇降床６を上昇させた状態で、前後の回動レバー１７をそれぞれ矢印の方向に回動させれば、支持部材１６は回動して張り出しトレーラフレーム１上に載置される。そして、ロッド１８を介して対向する側の支持部材１６も回動するので、４個の支持部材１６がすべて、トレーラフレーム１上に載置される。
【００２３】
パレット２０を高床部３へ移動させた状態で、昇降床６を下降させると、昇降床６の骨部材１１は図１の左図に示すように支持部材１６上に載置される。そして、昇降床６の上面は低床部の床面と同じ高さになる。なお、回動レバー１７は低床式トレーラ１０の左右のいずれからでも操作できるようにしているので、低床式トレーラをプラットホームなどに横付けして貨物を積載する場合はプラットホームと反対側にある回動レバー１７を操作すればよい。
【００２４】
次に、別の実施の形態（請求項２および請求項３の発明の実施の形態）について図３に基づいて説明する。
なお、図２における部品と同じものは同一の符号を付している。
左右のトレーラフレーム１のリブには上記と同じく支持部材１６を備えたブラケット１４が前後に２個ずつ固設されている。そして、後部側の左右の回動レバー１７は図２と同じくロッド１８で連結され、トレーラフレーム１の前後の回動レバー１７はそれぞれロッド１９で連結されている。すなわち、４個の回動レバー１７がコ字状にロッドで連結されている。なお、ロッド１８、１９は低床式トレーラの走行時の捩れや曲げの影響を受けないように回動レバー１７との連結部に遊びを持たせてある。
【００２５】
さらに、ロッド１９の端末となる前部側の左右の回動レバー１７にはトレーラフレーム１に設けたバネ２５が張設されている。このバネ２５は支持部材１６が張り出した場合のレバー１７の位置と支持部材１６が格納される場合のレバー１７の位置の中間で最長になるデットポイント２６を有するように取り付けられている。
【００２６】
図３の状態は、支持部材１６が格納されている状態を示しており、支持部材１６を張り出すときは、後部側の左右の回動レバー１７のいずれかを回動させる。このように構成されているので、後部側の左右の回動レバー１７のいずれかを回動させることにより、ロッド１８，１９を介してすべての回動レバー１７が回動し支持部材１６を張り出される。
【００２７】
このとき、前部側の回動レバー１７はバネ２５が引っ張られ、デットポイント２６を超えると回動レバー１７を支持部材１６が張り出す側へ付勢するので、確実に支持部材１６を張り出させることができる。
【００２８】
【発明の効果】
以上説明したように本発明の低床式トレーラの昇降床の支持装置は、昇降床上にパレットを備え昇降床が下降した位置ではパレットの上面が低床部の床面高さになるように昇降床を左右のトレーラフレームに支持し、パレットが昇降床上にないときに昇降床の上面を低床部の床面高さと一致させるため、回動させて昇降床とトレーラフレームの間に張り出し可能な複数の支持部材をトレーラフレームに設けるとともに、該支持部材に付設した回動レバー同士をロッドで連結したので、パレットが昇降床上にないときも簡便な操作で昇降床の上面を低床部の床面高さと一致させて昇降床をトレーラフレームに確実に支持させることができる。
【図面の簡単な説明】
【図１】本発明の低床式トレーラの昇降床の支持装置の実施の形態を示す概略正面図で、左図は昇降床上にパレットがないときの昇降床の支持状態、右図は昇降床上にパレットがあるときの支持状態を示す。
【図２】同  昇降床の支持装置の斜視図である。
【図３】同  請求項２および請求項３の発明の昇降床の支持装置の斜視図である。
【図４】低床式トレーラの全体を示す側面図である。
【符号の説明】
１…トレーラフレーム      ２…低床部
３…高床部                ４…タイヤ
５…カプラ                ６…昇降床
７ａ，７ｂ…リンク        ８…シリンダ
１０…低床式トレーラ      １１…骨部材
１２…床板                １４…ブラケット
１５…軸                  １６…支持部材
１７…回動レバー          １８，１９…ロッド
２０…パレット            ２１…車輪
２５…バネ                ２６…デットポイント
３０…トラクタ
【図１】
0003626925.tif 000002
【図２】
0003626925.tif 000003
【図３】
0003626925.tif 000004
【図４】
0003626925.tif 000005